(57)【要約】【課題】  容易に壁面に取付けることができる長押を提供する。【解決手段】  取付基枠１と、取付基枠１に弾発的に係脱自在として包囲状に取付けられる外装枠２を、備える。外装枠２が、フック付他部材Ｆを引掛可能な上方凸隆部３を有する。上方凸隆部３の高さ寸法Ｈが、20mm≦Ｈ≦50mmに設定されている。【選択図】  図２
0003116340.tif 000002
【実用新案登録請求の範囲】
【請求項１】
取付基枠（１）と、該取付基枠（１）に弾発的に係脱自在として包囲状に取付けられる外装枠（２）を、備え、上記外装枠（２）が、フック付他部材（Ｆ）を引掛可能な上方凸隆部（３）を有することを特徴とする長押。
【請求項２】
取付基枠（１）と、該取付基枠（１）に弾発的に係脱自在として包囲状に取付けられる外装枠（２）を、備え、上記外装枠（２）が、フック付他部材（Ｆ）を引掛可能な上方凸隆部（３）を有する長押であって、
上記取付基枠（１）が、鉛直壁部（４）と、該鉛直壁部（４）の上端部（５）に前方へ延設される第１水平壁部（６）と、該第１水平壁部（６）の前端（７）に延設される第１起立壁部（８）と、上記鉛直壁部（４）の下端（９）に前方上傾状に延設される傾斜壁部（10）を、有し、上記鉛直壁部（４）と上記傾斜壁部（10）の連設部（12）の下面（13）に凹溝部（14）を形成し、
上記外装枠（２）が、主壁部（15）と、該主壁部（15）の上端（16）に後方へ延設される天井壁部（17）と、該天井壁部（17）の後端（18）に後方下傾状に延設される垂下壁部（19）と、該垂下壁部（19）の下端（20）に延設される第２水平壁部（21）と、上記主壁部（15）の下端（22）に延設される第２起立壁部（23）を、有し、上記主壁部（15）の一部と上記天井壁部（17）と上記垂下壁部（19）をもって上記上方凸隆部（３）を形成し、上記第２起立壁部（23）の上部（24）が、上記取付基枠（１）の凹溝部（14）に係脱自在な係止部（25）を有し、
上記取付基枠（１）と上記外装枠（２）の組立状態に於て、上記外装枠（２）の上記第２水平壁部（21）が、上記取付基枠（１）の第１水平壁部（６）の上面（28）に接するとともに、上記外装枠（２）の係止部（25）が、上記取付基枠（１）の凹溝部（14）に係合するように、構成し、
上記取付基枠（１）の連設部（12）が、上記係止部（25）が上記凹溝部（14）から離脱するのを防止するための抜止部（29）を有し、上記取付基枠（１）の自然状態に於ける上記第１水平壁部（６）の上面（28）と上記抜止部（29）の最下端縁（30）との距離寸法（Ｌ1 ）を、上記外装枠（２）の自然状態に於ける上記第２水平壁部（21）の下面（31）と上記係止部（25）との距離寸法（Ｌ2 ）よりも大きく設定し、かつ、上記傾斜壁部（10）の下面（32）が、上記取付基枠（１）に上記外装枠（２）を係合させる際に上記係止部（25）を上記凹溝部（14）に誘導する誘導勾配面（33）を形成したことを特徴とする長押。
【請求項３】
上記主壁部（15）と上記係止部（25）の間に、凹凸波型の意匠形成部（26）をもって外装枠（２）の弾性変形を促進する弾性変形促進部（27）を形成した請求項２記載の長押。
【請求項４】
上方凸隆部（３）の高さ寸法（Ｈ）を、20mm≦Ｈ≦50mmに設定した請求項１，２又は３記載の長押。
【考案の詳細な説明】
【技術分野】
【０００１】
本考案は、長押に関する。
【背景技術】
【０００２】
従来、長押は、例えば鴨居に取付けられていた。（例えば、特許文献１参照）。
【０００３】
しかし、長押は一体ものであり、外観を良くするために、固着具を正面から見えない隠れた位置に配設する構造なので、鴨居に取付ける際に手間がかかるという欠点があった。
【特許文献１】特開２００３−４１７６０号公報
【考案の開示】
【考案が解決しようとする課題】
【０００４】
解決しようとする課題は、容易に壁面に取付けることができない点である。
【課題を解決するための手段】
【０００５】
そこで、本考案に係る長押は、取付基枠と、該取付基枠に弾発的に係脱自在として包囲状に取付けられる外装枠を、備え、上記外装枠が、フック付他部材を引掛可能な上方凸隆部を有するものである。
【０００６】
また、取付基枠と、該取付基枠に弾発的に係脱自在として包囲状に取付けられる外装枠を、備え、上記外装枠が、フック付他部材を引掛可能な上方凸隆部を有する長押であって、上記取付基枠が、鉛直壁部と、該鉛直壁部の上端部に前方へ延設される第１水平壁部と、該第１水平壁部の前端に延設される第１起立壁部と、上記鉛直壁部の下端に前方上傾状に延設される傾斜壁部を、有し、上記鉛直壁部と上記傾斜壁部の連設部の下面に凹溝部を形成し、上記外装枠が、主壁部と、該主壁部の上端に後方へ延設される天井壁部と、該天井壁部の後端に後方下傾状に延設される垂下壁部と、該垂下壁部の下端に延設される第２水平壁部と、上記主壁部の下端に延設される第２起立壁部を、有し、上記主壁部の一部と上記天井壁部と上記垂下壁部をもって上記上方凸隆部を形成し、上記第２起立壁部の上部が、上記取付基枠の凹溝部に係脱自在な係止部を有し、上記取付基枠と上記外装枠の組立状態に於て、上記外装枠の上記第２水平壁部が、上記取付基枠の第１水平壁部の上面に接するとともに、上記外装枠の係止部が、上記取付基枠の凹溝部に係合するように、構成し、上記取付基枠の連設部が、上記係止部が上記凹溝部から離脱するのを防止するための抜止部を有し、上記取付基枠の自然状態に於ける上記第１水平壁部の上面と上記抜止部の最下端縁との距離寸法を、上記外装枠の自然状態に於ける上記第２水平壁部の下面と上記係止部との距離寸法よりも大きく設定し、かつ、上記傾斜壁部の下面が、上記取付基枠に上記外装枠を係合させる際に上記係止部を上記凹溝部に誘導する誘導勾配面を形成したものである。
【０００７】
また、上記主壁部と上記係止部の間に、凹凸波型の意匠形成部をもって外装枠の弾性変形を促進する弾性変形促進部を形成したものである。
また、上方凸隆部の高さ寸法Ｈを、20mm≦Ｈ≦50mmに設定したものである。
【考案の効果】
【０００８】
本考案の長押によれば、容易に壁面に取付けることができる。
【考案を実施するための最良の形態】
【０００９】
図１・図２は、本考案の実施の一形態の使用状態を示す。すなわち、長押Ｎが、壁面Ｗに固着具Ｋ（例えば、ネジ）にて取付けられ、上方凸隆部３（後述）にフック付他部材Ｆが引掛けられている。そして、フック付他部材Ｆに、紐Ｓを介して絵画Ｐが掛けられている。
【００１０】
図３に示すように、長押Ｎは、取付基枠１と、取付基枠１に弾発的に係脱自在として包囲状に取付けられる外装枠２（長押本体）を、備える。取付基枠１及び外装枠２は、ともに、アルミニウムの押出成型にて製造されている。外装枠２が、フック付他部材Ｆ（図１・図２参照）を引掛可能な上方凸隆部３を有する。
【００１１】
具体的には、取付基枠１が、鉛直壁部４と、鉛直壁部４の上端部５に前方へ延設される第１水平壁部６と、第１水平壁部６の前端７に延設される第１起立壁部８と、鉛直壁部４の下端９に前方上傾状に延設される傾斜壁部10を、有する。11は鉛直壁部４から上方へ延設された傷付防止凸部を示す。傷付防止凸部11は、取付基枠１に外装枠２を係合させる（取付ける）際、外装枠２が壁面Ｗを傷付けるのを防止する。鉛直壁部４と傾斜壁部10の連設部12の下面13に凹溝部14が形成されている。
【００１２】
外装枠２が、主壁部15と、主壁部15の上端16に後方へ延設される天井壁部17と、天井壁部17の後端18に後方下傾状に延設される垂下壁部19と、垂下壁部19の下端20に延設される第２水平壁部21と、主壁部15の下端22に（後述の弾性変形促進部27等を介して）延設される第２起立壁部23を、有する。
【００１３】
主壁部15の一部と天井壁部17と垂下壁部19をもって上方凸隆部３が形成されている。第２起立壁部23の上部24が、取付基枠１の凹溝部14に係脱自在な係止部25を有する。主壁部15と係止部25の間に、凹凸波型の意匠形成部26をもって外装枠２の弾性変形を促進する弾性変形促進部27が形成されている。
【００１４】
取付基枠１と外装枠２の組立状態に於て、外装枠２の第２水平壁部21が、取付基枠１の第１水平壁部６の上面28に接するとともに、外装枠２の係止部25が、取付基枠１の凹溝部14に係合するように、構成されている。
【００１５】
取付基枠１の連設部12が、係止部25が凹溝部14から離脱するのを防止するための抜止部29を有する。図５に示す取付基枠１の自然状態に於ける第１水平壁部６の上面28と抜止部29の最下端縁30との距離寸法Ｌ1 が、図６に示す外装枠２の自然状態に於ける第２水平壁部21の下面31と係止部25との距離寸法Ｌ2 よりも大きく設定されている。傾斜壁部10の下面32が、取付基枠１に外装枠２を係合させる際に係止部25を凹溝部14に誘導する誘導勾配面33を形成している。
【００１６】
上方凸隆部３の高さ寸法Ｈが、20mm≦Ｈ≦50mmに設定されている。Ｈ＜20mmの場合、フック付他部材Ｆを引掛けにくくなる虞れがあるとともに、フック付他部材Ｆが上方凸隆部３から離脱しやすくなる。50mm＜Ｈの場合、長押Ｎ全体の上下方向寸法が大きくなりすぎて、外観が悪くなる虞れがある。
【００１７】
図４は、長押Ｎを壁面Ｗに取付ける途中の状態を示す。すなわち、まず、取付基枠１を壁面Ｗに固着する。その後、取付基枠１に外装枠２を取付ける。このとき、取付基枠１と外装枠２の間には、図４の各矢印に示すような弾発力がはたらいている。
【００１８】
なお、フック付他部材Ｆとしては、図１・図２に示したものの他に、一般のハンガー等が該当する。
本考案は、設計変更可能であって、例えば、外装枠２の弾性変形促進部27を省略したものとするも良い。
【００１９】
以上のように、本考案は、取付基枠１と、取付基枠１に弾発的に係脱自在として包囲状に取付けられる外装枠２を、備え、外装枠２が、フック付他部材Ｆを引掛可能な上方凸隆部３を有するので、容易に壁面Ｗに取付けることができる。また、壁面Ｗの任意の位置に取付けることができる。例えば、マンション等の洋室の壁面Ｗにも、容易に取付けることができる。
【００２０】
また、取付基枠１と、取付基枠１に弾発的に係脱自在として包囲状に取付けられる外装枠２を、備え、外装枠２が、フック付他部材Ｆを引掛可能な上方凸隆部３を有する長押であって、取付基枠１が、鉛直壁部４と、鉛直壁部４の上端部５に前方へ延設される第１水平壁部６と、第１水平壁部６の前端７に延設される第１起立壁部８と、鉛直壁部４の下端９に前方上傾状に延設される傾斜壁部10を、有し、鉛直壁部４と傾斜壁部10の連設部12の下面13に凹溝部14を形成し、上記外装枠２が、主壁部15と、主壁部15の上端16に後方へ延設される天井壁部17と、天井壁部17の後端18に後方下傾状に延設される垂下壁部19と、垂下壁部19の下端20に延設される第２水平壁部21と、主壁部15の下端22に延設される第２起立壁部23を、有し、主壁部15の一部と天井壁部17と垂下壁部19をもって上方凸隆部３を形成し、第２起立壁部23の上部24が、取付基枠１の凹溝部14に係脱自在な係止部25を有し、取付基枠１と外装枠２の組立状態に於て、外装枠２の第２水平壁部21が、取付基枠１の第１水平壁部６の上面28に接するとともに、外装枠２の係止部25が、取付基枠１の凹溝部14に係合するように、構成し、取付基枠１の連設部12が、係止部25が凹溝部14から離脱するのを防止するための抜止部29を有し、取付基枠１の自然状態に於ける第１水平壁部６の上面28と抜止部29の最下端縁30との距離寸法Ｌ1 を、外装枠２の自然状態に於ける第２水平壁部21の下面31と係止部25との距離寸法Ｌ2 よりも大きく設定し、かつ、傾斜壁部10の下面32が、取付基枠１に外装枠２を係合させる際に係止部25を凹溝部14に誘導する誘導勾配面33を形成したので、取付基枠１と外装枠２の係脱を容易に行なうことができるとともに、容易に壁面Ｗに取付けることができる。また、壁面Ｗの任意の位置に取付けることができる。例えば、マンション等の洋室の壁面Ｗにも、容易に取付けることができる。さらに、取付基枠１と外装枠２の組立状態を確実に保持することができる。
【００２１】
また、主壁部15と係止部25の間に、凹凸波型の意匠形成部26をもって外装枠２の弾性変形を促進する弾性変形促進部27を形成したので、比較的小さな力で容易に外装枠２を取付基枠１に取付けることができる。そして、外観が優れる。
また、上方凸隆部３の高さ寸法Ｈを、20mm≦Ｈ≦50mmに設定したので、フック付他部材Ｆを上方凸隆部３に確実に引掛けることができるとともに、外観も良い。
【図面の簡単な説明】
【００２２】
【図１】本考案の実施の一形態の使用状態を示す斜視図である。
【図２】要部拡大断面側面図である。
【図３】要部拡大断面側面図である。
【図４】要部拡大断面側面図である。
【図５】取付基枠を示す拡大断面側面図である。
【図６】外装枠を示す拡大断面側面図である。
【符号の説明】
【００２３】
１  取付基枠
２  外装枠
３  上方凸隆部
４  鉛直壁部
５  上端部
６  第１水平壁部
７  前端
８  第１起立壁部
９  下端
10  傾斜壁部
12  連設部
13  下面
14  凹溝部
15  主壁部
16  上端
17  天井壁部
18  後端
19  垂下壁部
20  下端
21  第２水平壁部
22  下端
23  第２起立壁部
24  上部
25  係止部
26  意匠形成部
27  弾性変形促進部
28  上面
29  抜止部
30  最下端縁
31  下面
32  下面
33  誘導勾配面
Ｆ  フック付他部材
Ｈ  高さ寸法
Ｌ1 距離寸法
Ｌ2 距離寸法
【図１】
0003116340.tif 000003
【図２】
0003116340.tif 000004
【図３】
0003116340.tif 000005
【図４】
0003116340.tif 000006
【図５】
0003116340.tif 000007
【図６】
0003116340.tif 000008